(57)【特許請求の範囲】
【請求項１】
ソレノイドコイルと、サンプル挿入用の穴を有する円筒型のプローブ筐体とを備え、前記ソレノイドコイルの軸と前記プローブ筐体の軸とが直交するＮＭＲプローブにおいて、前記プローブ筐体の内面の少なくとも前記サンプル挿入用の穴がある部位に前記プローブ筐体と逆極性の磁化率および導電性を有する材料で形成された金属箔を有し、前記金属箔が長方形で且つサンプルが挿入される穴を有し、その長方形の長辺が前記プローブ筐体の軸と平行或いはほぼ平行になるように配置され、超電導マグネットに組み合わせて静磁場中にプローブを配置した際に前記プローブ筐体と前記金属箔とで体積磁化率の絶対値と静磁場に直交する断面積との積が等しく或いはほぼ等しくしてあることを特徴とするＮＭＲプローブ。
【請求項２】
前記金属箔の長辺が前記プローブ筺体の軸方向の長さと等しいか或いはほぼ等しく、前記プローブ筺体の軸方向の端部或いは端部近くにまで前記金属箔が配置されていることを特徴とする請求項１に記載のＮＭＲプローブ。
【請求項３】
前記金属箔が非磁性金属材料で形成されていることを特徴とする請求項１に記載のＮＭＲプローブ。
【請求項４】
前記金属箔がＡｕ，Ａｇ，Ｃｕ，Ａｌ，Ｎｂおよび黄銅から選ばれた非磁性金属材料で形成されていることを特徴とする請求項１に記載のＮＭＲプローブ。
【請求項５】
前記金属箔が前記プローブ筐体の内面全体に配置されていることを特徴とする請求項１に記載のＮＭＲプローブ。
【請求項６】
前記金属箔が前記プローブ筺体の内面のサンプル挿入用の穴がある対向する二箇所に配置されていることを特徴とする請求項１に記載のＮＭＲプローブ。
【請求項７】
前記金属箔の長辺が前記プローブ筺体の軸方向の長さと等しいか或いはほぼ等しく、前記プローブ筺体の軸方向の端部或いは端部近くにまで配置されていることを特徴とする請求項６に記載のＮＭＲプローブ。
【請求項８】
前記金属箔が前記プローブ筺体の内面のサンプル挿入用穴がある部位の対向する二箇所と、その少なくとも一方の両側に、互いに重ならないように配置されていることを特徴とする請求項１に記載のＮＭＲプローブ。
【請求項９】
前記プローブ筺体の内面のサンプル挿入用穴がある部位の対向する二箇所に配置された前記金属箔にくらべて、その少なくとも一方の両側に配置された前記金属箔の短辺の長さが短いことを特徴とする請求項８に記載のＮＭＲプローブ。
【請求項１０】
前記サンプル挿入用の穴がある部位に配置された金属箔の両側に配置された金属箔は、プローブ筺体内周方向における長さが１ｃｍ以下であることを特徴とする請求項９に記載のＮＭＲプローブ。
【請求項１１】
前記金属箔に代えて、前記金属箔と同一の材料よりなる金属めっきが施されていることを特徴とする請求項１に記載のＮＭＲプローブ。
【請求項１２】
ソレノイドコイルと、サンプル挿入用の穴を有する円筒型のプローブ筐体とを備え、前記ソレノイドコイルの軸と前記プローブ筐体の軸とが直交するＮＭＲプローブにおいて、前記プローブ筐体の内面全体に前記プローブ筐体と逆極性の磁化率および導電性を有する材料で形成された内周金属箔を有し、その内周金属箔にサンプルが挿入される穴が設けられ、前記内周金属箔の内面の対向する二箇所でサンプルが挿入される部位に更に前記内周金属箔と同じ材料で形成された上下金属箔を有し、その上下金属箔にもサンプルが挿入される穴が設けられ、前記上下金属箔は長方形で短辺の長さがサンプル挿入用の穴の直径よりも大きく、長辺の長さが前記プローブ筺体の軸方向の長さと等しいか或いはほぼ等しく、その長方形の長辺が前記プローブ筐体の軸と平行或いはほぼ平行になるように配置され、超電導マグネットに組み合わせて静磁場中にプローブを配置した際に前記プローブ筐体と前記内周金属箔および前記上下金属箔を含む金属箔とで体積磁化率の絶対値と静磁場に直交する断面積との積が等しく或いはほぼ等しくしてあることを特徴とするＮＭＲプローブ。
【請求項１３】
前記内周金属箔および前記上下金属箔に代えて、それらの金属箔と同一の材料よりなる金属めっきが施されていることを特徴とする請求項１２に記載のＮＭＲプローブ。
【請求項１４】
前記上下金属箔のうち少なくとも一方の両側に更に短辺の長さが前記上下金属箔の短辺の長さよりも短く、長辺の長さが前記プローブ筺体の軸方向長さと等しいか或いはほぼ等しい長方形状の帯型金属箔を有し、前記帯型金属箔の厚さが前記上下金属箔とほぼ等しく、長辺が前記プローブ筺体の軸と平行或いはほぼ平行になるように配置され、超電導マグネットに組み合わせて静磁場中にプローブを配置した際に前記プローブ筐体と前記内周金属箔と前記上下金属箔および前記帯型金属箔を含む金属箔とで体積磁化率の絶対値と静磁場に直交する断面積との積が等しく或いはほぼ等しくしてあることを特徴とする請求項１２に記載のＮＭＲプローブ。
【請求項１５】
前記帯型金属箔の短辺の長さが１ｃｍ以下であることを特徴とする請求項１４に記載のＮＭＲプローブ。
【請求項１６】
前記帯型金属箔に代えて、同一の材料よりなる金属めっきが施されていることを特徴とする請求項１４に記載のＮＭＲプローブ。
【請求項１７】
請求項１ないし１６のいずれかに記載のＮＭＲプローブを具備するＮＭＲ装置。
【発明の詳細な説明】
【技術分野】
【０００１】
本発明はＮＭＲプローブとそれを備えたＮＭＲ装置に関する。本発明は特にサンプル挿入用の穴が形成された円筒型プローブ筐体を有し、ソレノイドアンテナコイルの軸とプローブ筺体の軸とが直交するＮＭＲ装置に好適である。
【背景技術】
【０００２】
ＮＭＲ（核磁気共鳴）装置では、アンテナコイルにより測定対象である試料へ高周波磁場を印加し、試料からの核磁気共鳴信号を受信する。受信感度はアンテナコイルのωＬ／ｒ（ω：角周波数、Ｌ：インダクタンス、ｒ：抵抗）で決まるＱ値に依存するため、できる限りＱ値を高くする必要がある。
【０００３】
一方で、アンテナコイルの感度領域内には傾斜磁場コイル等の導体があり、損失によりＱ値が低下する。アンテナコイルの感度を不必要に広げないためには、アンテナコイルを金属で囲んで電磁波を閉じこめるＲＦ（Ｒａｄｉｏ  Ｆｒｅｑｕｅｎｃｙ）シールドが有効である。
【０００４】
δ＝１／√（πｆμσ）        …式（１）
ここでδは表皮深さ、ｆは周波数、σは金属の導電率、μは金属の透磁率を示す。
【０００５】
式（１）は表皮深さδの計算式を示している。表皮深さは、ある材質に入射した電磁波が１／ｅに減衰する距離である。ＲＦシールドには表皮深さに比べて十分に厚い金属が必要である。
【０００６】
特許文献１には、ＮＭＲプローブのＱ値と傾斜磁場の印加応答性を同時に高めたＮＭＲ装置を提供することを目的として、アンテナコイルの近傍のプローブカバーを高抵抗の金属で構成し、遠方のプローブカバーの少なくとも内面を低抵抗の金属で構成することが記載されている。
【０００７】
【特許文献１】特開２００６−１０５６３７号公報
【発明の開示】
【発明が解決しようとする課題】
【０００８】
ＮＭＲプローブの問題点の一つに、アンテナコイルの電磁波閉じこめが不十分であり、Ｑ値が低下する点がある。金属箔等を用いるＲＦシールドによって十分なシールド効果を得るには、少なくとも式（１）に示した表皮深さ程度の厚さが必要である。サンプル挿入用の穴が開いている場合には、表皮深さ以上の厚さが必要である。
【０００９】
ＮＭＲプローブの他の問題点としては、傾斜磁場パルスの印加時にＲＦシールドに渦電流が生じ、サンプル空間の静磁場が乱される点がある。渦電流を抑制するにはＲＦシールドを薄くする必要がある。
【００１０】
ＮＭＲ用プローブの更に他の問題点としては、プローブ筐体およびＲＦシールドの作る不整磁場によってサンプル空間の静磁場が乱される点がある。特にプローブ筐体にサンプル挿入用の穴が開いている場合には、プローブ筐体がサンプル空間に作る不整磁場が大きい。
【００１１】
本発明の目的は、アンテナコイルの電磁波閉じこめを高めつつ、サンプル空間の静磁場均一度を上げること、望ましくは更に渦電流を抑制できるようにしたＮＭＲプローブと、それを備えたＮＭＲ装置を提供することにある。
【課題を解決するための手段】
【００１２】
本発明は、ソレノイドコイルと、サンプル挿入用の穴を有する円筒型のプローブ筐体とを備え、前記ソレノイドコイルの軸と前記プローブ筐体の軸とが直交するＮＭＲプローブにおいて、前記プローブ筐体の内面の少なくとも前記サンプル挿入用の穴がある部位に前記プローブ筐体と逆極性の磁化率および導電性を有する材料で形成された金属箔を有し、前記金属箔が長方形で且つサンプルが挿入される穴を有し、その長方形の長辺が前記プローブ筐体の軸と平行或いはほぼ平行になるように配置され、超電導マグネットに組み合わせて静磁場中にプローブを配置した際に前記プローブ筐体と前記金属箔とで体積磁化率の絶対値と静磁場に直交する断面積との積が等しく或いはほぼ等しくしてあることを特徴とするＮＭＲプローブにある。
【００１３】
また本発明は、ソレノイドコイルと、サンプル挿入用の穴を有する円筒型のプローブ筐体とを備え、前記ソレノイドコイルの軸と前記プローブ筐体の軸とが直交するＮＭＲプローブにおいて、前記プローブ筐体の内面全体に前記プローブ筐体と逆極性の磁化率および導電性を有する材料で形成された内周金属箔を有し、その内周金属箔にサンプルが挿入される穴が設けられ、前記内周金属箔の内面の対向する二箇所でサンプルが挿入される部位に更に前記内周金属箔と同じ材料で形成された上下金属箔を有し、その上下金属箔にもサンプルが挿入される穴が設けられ、前記上下金属箔は長方形で短辺の長さがサンプル挿入用の穴の直径よりも大きく、長辺の長さが前記プローブ筺体の軸方向の長さと等しいか或いはほぼ等しく、その長方形の長辺が前記プローブ筐体の軸と平行或いはほぼ平行になるように配置され、超電導マグネットに組み合わせて静磁場中にプローブを配置した際に前記プローブ筐体と前記内周金属箔および前記上下金属箔を含む金属箔とで体積磁化率の絶対値と静磁場に直交する断面積との積が等しく或いはほぼ等しくしてあることを特徴とするＮＭＲプローブにある。
【００１４】
また本発明は、前記内周金属箔の上に前記上下金属箔を備えたＮＭＲプローブにおいて、前記上下金属箔の一方又は両方の両側に更に短辺の長さが前記上下金属箔の短辺の長さよりも短く、長辺の長さが前記プローブ筺体の軸方向長さと等しいか或いはほぼ等しい長方形状の帯型金属箔を有し、前記帯型金属箔の長辺が前記プローブ筺体の軸と平行或いはほぼ平行になるように配置され、超電導マグネットに組み合わせて静磁場中にプローブを配置した際に前記プローブ筐体と前記内周金属箔と前記上下金属箔および前記帯型金属箔を含む金属箔とで体積磁化率の絶対値と静磁場に直交する断面積との積が等しく或いはほぼ等しくしてあることを特徴とするＮＭＲプローブにある。
【００１５】
本発明は、以上述べたＮＭＲプローブを具備するＮＭＲ装置にある。
【００１６】
本発明において、金属箔はプローブ筐体の内面の対向する上下二箇所でサンプル挿入用の穴がある部位、サンプル挿入用の穴がある部位とその両側、或いは内周全体に配置することが好ましい。プローブ筺体の内周全面に金属箔を配置し、更にその内面の対向する上下二箇所でサンプル挿入用の穴がある部位、更には、その上下二箇所のうち少なくとも一方の両側に金属箔を配置することは、特に好ましい。
【発明の効果】
【００１７】
本発明により、アンテナコイルの電磁波閉じこめを高めつつ、サンプル空間の静磁場均一度を上げることができる。プローブ筺体の内周全面に金属箔を配置して閉ループにした場合には、アンテナコイルの電磁波閉じこめと、サンプル空間の静磁場均一度向上に対して高い効果が得られる。プローブ筺体の内面のサンプルが挿入される部位の対向する二箇所、更にはその少なくとも一方の両側に金属箔を配置して開ループにした場合には、渦電流の抑制に対して高い効果が得られる。
【００１８】
内周金属箔に加えて上下金属箔、更には帯型金属箔を備えた場合には、アンテナコイルの電磁波閉じこめと、サンプル空間の静磁場均一度向上および渦電流抑制のすべてに対してきわめて高い効果が得られる。
【発明を実施するための最良の形態】
【００１９】
金属箔は、少なくともサンプル挿入用の穴がある部位に設ける。なぜならば、サンプル領域が最も不整磁場の影響が大きく、しかも高周波磁場の強い部位であるからである。
【００２０】
金属箔はプローブ筐体と逆極性の磁化率および導電性を有する材料で形成される。アンテナコイルの感度領域を狭めてＱ値向上を図るために導電性の材料を用いる。不整磁場を抑制するために、プローブ筐体と逆極性の磁化率を有する材料を用いる。非磁性金属材料を用いることが好ましく、特にＡｕ，Ａｇ，Ｃｕ，Ａｌ，Ｎｂ或いは黄銅が好ましい。
【００２１】
不整磁場抑制の観点から、金属箔のプローブ筺体軸方向の長さはプローブ筺体と等しいか或いはほぼ等しくして、プローブ筺体の軸方向の端部或いはその近くにまで金属箔を配置することが好ましい。最小でもソレノイド状のアンテナコイルが設けられた部位をシールドできるように、ソレノイド部分の直径よりも長くすることが好ましい。
【００２２】
また、不整磁場抑制の観点から、金属箔はプローブ筺体の軸と平行或いはほぼ平行になるように配置することが好ましい。傾きの角度は１０°以内に抑えることが望ましい。
【００２３】
プローブ筺体の内周全面或いはサンプル挿入用の穴がある部位に金属箔を配置する場合には、金属箔にサンプル挿入用の穴が設けられる。穴の大きさはプローブ筺体のサンプル挿入用穴の大きさと同じにすることが好ましい。また、プローブ筺体の穴の中心と金属箔の穴の中心とを一致させることが好ましい。
【００２４】
不整磁場を抑制してサンプル空間の静磁場均一度を高めるには、超電導マグネットに組み合わせて静磁場中にプローブを配置した際に、プローブ筐体と金属箔とで体積磁化率の絶対値と静磁場に直交する断面積との積が等しく或いはほぼ等しくなるようにする。具体的には、プローブ筺体の厚さと磁化率の積と、金属箔の厚さと磁化率の積とを等しくするか、或いはほぼ等しくすることが好ましい。プローブ筺体の厚さと磁化率の積と、金属箔の厚さと磁化率の積とは等しいことが最も望ましいが、ばらつきの範囲が２〜３％程度であれば問題はない。
【００２５】
これらの金属箔に代えて、金属めっきを施してもよい。
【００２６】
以下、本発明の１つの実施形態に係わるＮＭＲ装置を説明する。この実施形態では静磁場発生用コイルユニットとして、スプリット型マグネットを用いた水平型ＮＭＲ装置を例示する。
【００２７】
図１にＮＭＲ装置の概略図を示す。スプリット型マグネット１に対して水平方向からプローブ筐体２を差し込む。サンプル３の出し入れはスプリットマグネット１の隙間を利用して行う。プローブ筐体２にはサンプル挿入用の穴４があり、この穴に挿入されたサンプル３を囲むようにしてソレノイド型のアンテナコイル５が配置されている。
【００２８】
静磁場を発生するスプリット型マグネット１は超電導磁石で形成されている。つまり、外側の真空容器の中に、熱輻射シールド容器および液体ヘリウム容器が収められ、液体ヘリウム容器の内部に超電導コイルが巻装・設置されている。
【００２９】
前記超電導磁石によって作られた基本磁場の不均一性を補正するために、シムコイル（図示せず）と電源（図示せず）が必要である。
【００３０】
アンテナコイル５の周辺には、線形の磁場勾配を発生させる傾斜磁場コイル（図示せず）が搭載されている。この傾斜磁場コイルにパルス状の電流を流すことで核磁化の位相をばらすことができ、適当なシーケンスにより水溶媒の信号抑制が可能である。
【００３１】
本発明の主題は、アンテナコイル５の電磁波閉じこめを高めつつ、プローブ筐体２由来の不整磁場を打ち消すことであり、好ましくは更に渦電流を抑制することである。以下、本発明の実施例を示した図２〜図１４について説明する。
【実施例１】
【００３２】
図２に本実施例によるＮＭＲプローブ９の外観斜視図を示す。プローブ筐体２の内側全面に金属箔を有するＮＭＲプローブである。この金属箔は電磁波を閉じこめる役割をし、アンテナの感度領域を狭めることができる。以下、この金属箔を内周金属箔６と記す。
【００３３】
内周金属箔６は、一辺の長さがサンプル挿入用の穴４の直径より大きく、もう一辺の長さはプローブ筐体と等しい長方形である。また、長方形の中心にはサンプル挿入用の穴と同じ直径の穴が開いており、内周金属箔の穴の中心とサンプル挿入用の穴の中心とが一致し、プローブ筐体２と等しい長さの辺がプローブ筐体の軸と平行になるようにプローブ筐体２の内周に沿って配置されている。
【００３４】
本構造のＮＭＲプローブによるもう一つの利点は、プローブ筐体２由来の不整磁場を抑制できることである。図３に不整磁場抑制の概念図を示す。静磁場中ではプローブ筐体２が分極し、サンプル空間の静磁場を乱す原因となり、特に穴の近くはサンプル空間への影響が大きい。内周金属箔６をプローブ筐体２と逆極性の磁化率材料にすれば、分極で生じる磁力線を打ち消し合い、サンプル空間の静磁場の乱れを抑制できる。
【００３５】
内周金属箔６の厚さは、超電導マグネットに組み合わせて磁場中にプローブを配置した際に、プローブ筐体と金属箔とが逆極性の磁化率であり、体積磁化率の絶対値と厚さの積が等しくなるようにする。
【００３６】
プローブ筐体２の厚さ×磁化率＝内周金属箔６の厚さ×磁化率      …式（２）
本実施例の場合、プローブ筐体２と内周金属箔６の厚さおよび磁化率に関して、式（２）の関係が成り立つようにする。
【００３７】
表１に主な金属の室温における物性値を示す。例えば、プローブ筐体の厚さが３ｍｍのポリエーテルエーテルケトン(polyetheretherketone、以下、「PEEK」と記す。)の場合、Ａｌ金属箔では１５２０μｍ、Ｎｂでは１２０μｍの厚さとなる。また、プローブ筐体の厚さが３ｍｍのSiO2, MgO, Al2O3, K2Oを主成分とするセラミックス（以下、「セラミックス」と記す。）の場合、Ａｌでは１８３０μｍ、Ｎｂでは１４０μｍの厚さとなる。
【００３８】
【表１】
0005049813.tif 000002
【００３９】
内周金属箔６の厚さの下限は、ソレノイドコイルの受信周波数の表皮深さδとする。アンテナの感度領域を狭めるため、受信する周波数は内周金属箔６で遮断する必要がある。例えば銅の場合では、式（１）より３００ＭＨｚでの表皮深さδは３．８μｍである。
【００４０】
図４に本実施例のＮＭＲプローブ９をｚ方向から見た断面図を示す。サンプル挿入用の穴４があるため、３００ＭＨｚでの表皮深さに対して十分に厚くする必要がある。しかしながら、内周金属箔６はプローブの周方向に対して閉ループとなっており、厚くすると傾斜磁場パルスの変動磁場による渦電流が生じやすくなる。
【００４１】
従って、内周金属箔６の厚さの上限は、傾斜磁場パルスが持つ周波数の表皮深さδとする必要がある。例えば銅の場合では、傾斜磁場パルスの持つ周波数を１００ｋＨｚとすると、式（１）より表皮深さは２１０ｕｍとなる。
【００４２】
図５に実施例１の感度分布概念図を示す。内周金属箔６の厚さを薄くした場合には電磁波の閉じこめが不十分となり、アンテナコイルの感度分布はプローブ筐体２の外側まで広がってしまう。したがって、本実施例のＮＭＲプローブは電磁波閉じこめを高めつつ、同時にサンプル空間の静磁場均一度を上げる場合に有効である。
【実施例２】
【００４３】
図６に別の実施例によるＮＭＲプローブ９の外観斜視図を示す。プローブ筐体２の内側の斜線で示した部分に金属箔を配置したＮＭＲプローブである。金属箔の幅は、サンプル挿入用の穴４の直径と等しく、長さはプローブ筐体２と等しい。材料は導電性材料であり、厚さは材料の導電率とアンテナの受信周波数で決まる表皮深さに対して十分に厚くすることで、電磁波の閉じこめが可能である。以下、この金属箔を上下金属箔７と記す。
【００４４】
上下金属箔７を貼る部分に由来する不整磁場は、プローブ筐体２の中で最も複雑な分布を持ち、シムコイルなどでの磁場補正が困難である。プローブ筐体２と上下金属箔７の磁化率を逆符号にし、磁化率の絶対値と厚さとの積を等しくすることで、プローブ筐体２由来の不整磁場を抑制することができる。
【００４５】
プローブ筐体２の厚さ×磁化率＝上下金属箔７の厚さ×磁化率      …式（３）
図７に本実施例のＮＭＲプローブをｚ方向から見た断面図を示す。本実施例の場合、プローブ筐体２と上下金属箔７の厚さおよび磁化率に関して、式（３）の関係が成り立つようにする。
【実施例３】
【００４６】
図８にさらに別の実施例によるＮＭＲプローブの外観斜視図を示す。内周金属箔６および上下金属箔７を有するＮＭＲプローブである。
【００４７】
プローブ筐体２の厚さ×磁化率＝内周金属箔６の厚さ×磁化率＋上下金属箔７の厚さ×磁化率      …式（４）
図９に本実施例のＮＭＲプローブ９をｚ方向から見た断面図を示す。本実施例の場合、プローブ筐体２と内周金属箔６と上下金属箔７の厚さ、磁化率に関して、式（４）の関係が成り立つようにする。
【００４８】
図１０に本実施例によるＮＭＲプローブの感度分布概念図を示す。実施例１と比較して、上下金属箔７により感度領域が狭められている。これによりＱ値の低下が起こらず、高感度な計測が可能である。また、上下金属箔７はプローブ筐体２の周方向に対して閉ループとなっていないため、厚い導電性の箔を配置しても傾斜磁場パルスによる渦電流が生じにくい。
【実施例４】
【００４９】
図１１に他の実施例によるＮＭＲプローブの外観斜視図を示す。図６に示した実施例２の構造に加えて、上下金属箔７のうち一方の両側に帯型金属箔８を貼り付けたＮＭＲプローブである。帯型金属箔８の幅は１ｃｍ以内とし、長さ、厚さ、幅は上下金属箔７と同一である。また、上下金属箔７および帯型金属箔８は互いに重ならないように配置する。帯型金属箔８の幅を小さくすることで渦電流を抑制しつつ、プローブ筐体２の作る不整磁場を小さくすることができる。
【００５０】
図１２に本実施例のＮＭＲプローブをｚ方向から見た断面図を示す。本実施例の場合、プローブ筐体２と内周金属箔６と上下金属箔７の厚さ、磁化率に関して、式（４）の関係が成り立つようにする。
【実施例５】
【００５１】
図１３に別の実施例によるＮＭＲプローブの外観斜視図を示す。内周金属箔６と上下金属箔７および帯型金属箔８を有するＮＭＲプローブである。
【００５２】
図１４に本実施例のＮＭＲプローブをｚ方向から見た断面図を示す。本実施例の場合、プローブ筐体２と内周金属箔６と上下金属箔７の厚さ、磁化率に関して式（４）の関係が成り立つようにする。
【図面の簡単な説明】
【００５３】
【図１】スプリット型マグネットを備えた水平磁場型ＮＭＲ装置の全体図である。
【図２】実施例１によるＮＭＲプローブの外観斜視図である。
【図３】実施例１におけるプローブ筐体が作る不整磁場抑制の概念図である。
【図４】実施例１のＮＭＲプローブをｚ方向から見た断面図である。
【図５】実施例１のＮＭＲプローブの感度分布概念図である。
【図６】実施例２によるＮＭＲプローブの外観斜視図である。
【図７】実施例２のＮＭＲプローブをｚ方向から見た断面図である。
【図８】実施例３によるＮＭＲプローブの外観斜視図である。
【図９】実施例３によるＮＭＲプローブをｚ方向から見た断面図である。
【図１０】実施例３によるＮＭＲプローブの感度分布概念図である。
【図１１】実施例４によるＮＭＲプローブの外観斜視図である。
【図１２】実施例４によるＮＭＲプローブをｚ方向から見た断面図である。
【図１３】実施例５によるＮＭＲプローブの外観斜視図である。
【図１４】実施例５によるＮＭＲプローブをｚ方向から見た断面図である。
【符号の説明】
【００５４】
１…スプリット型マグネット、２…プローブ筐体、３…サンプル、４…サンプル挿入用の穴、５…アンテナコイル、６…内周金属箔、７…上下金属箔、８…帯型金属箔、９…ＮＭＲプローブ。
【図１】
0005049813.tif 000003
【図２】
0005049813.tif 000004
【図３】
0005049813.tif 000005
【図４】
0005049813.tif 000006
【図５】
0005049813.tif 000007
【図６】
0005049813.tif 000008
【図７】
0005049813.tif 000009
【図８】
0005049813.tif 000010
【図９】
0005049813.tif 000011
【図１０】
0005049813.tif 000012
【図１１】
0005049813.tif 000013
【図１２】
0005049813.tif 000014
【図１３】
0005049813.tif 000015
【図１４】
0005049813.tif 000016